(57)【要約】【課題】特別な操作が必要でなく、確実に異常解錠を検知することのできる防犯システムを提供する。【解決手段】ドア１０の異常開閉を検知する防犯システムであって、錠前１５の開閉を検知する錠前検出手段３４と、屋内側に配置され、ドア１０近傍における人の有無を検出する人感センサ２５と、ドア操作者を認定する認証手段２３と、錠前検出手段３４の検知信号、人感センサ２５の検知信号、および認証手段２３からの信号が入力され、これら信号に基づき判別し、ドア１０内側に人がいない状態で、錠前１５が解錠され、かつ認証手段２３による検知信号がない場合に異常であると判断する制御部とを具備することを特徴とする。【選択図】      図１
2004234400.tif 000002
【特許請求の範囲】
【請求項１】
ドアの異常開閉を検知する防犯システムであって、
錠前の開閉を検知する錠前検出手段と、
屋内側に配置され、前記ドア近傍における人の有無を検出する人感センサと、
ドア操作者を認定する認証手段と、
前記錠前検出手段の検知信号、前記人感センサの検知信号、および前記認証手段からの信号が入力され、これら信号に基づき判別し、ドア内側に人がいない状態で前記錠前が解錠され、かつ前記認証手段による検知信号がない場合に異常であると判断する制御部とを具備することを特徴とする防犯システム。
【請求項２】
前記錠前検出手段は、錠前におけるサムターンの回動を検出することを特徴とする請求項１記載の防犯システム。
【請求項３】
前記錠前検出手段は、
屋内側のドア以外の部位に取り付けられ、前記サムターンの角度位置を検出するための投光素子および受光素子を有する光センサを含み、
サムターンが施錠側に位置するとき前記光センサからの光の反射光を前記光センサに入光させ、サムターンが解錠側に位置するとき前記光センサからの光を反射せず、もしくは反射光を前記光センサに入光させないことを特徴とする請求項２記載の防犯システム。
【請求項４】
前記認証手段は、ＲＦＩＤシステムであることを特徴とする請求項１〜３いずれか１項記載の防犯システム。
【請求項５】
前記人感センサは赤外線センサであることを特徴とする請求項１〜４いずれか１項記載の防犯システム。
【請求項６】
前記制御部が異常でない解錠状態であると判断した場合、解錠状態であることをドア操作者に知らせることを特徴とする請求項１〜５いずれか１項記載の防犯システム。
【発明の詳細な説明】
【０００１】
【発明の属する技術分野】
本発明はドアの異常開閉を検知する防犯システムに関する。
【０００２】
【従来の技術】
昨今サムターン回しなどと称する空き巣ねらいが多発している。これは、錠前の横に小さな孔をあけ、この孔に工具を差しこんで、ドア内側に位置するサムターン（ドア内側に設けられる手動施解錠レバー）を回転させ、解錠してしまうものである。
このサムターン回しを防止するため、屋外から不当にサムターンが回転されるのを検出する錠監視装置が開発されている（特開２００２−１２１９４０）。
【０００３】
上記錠監視装置は、サムターンの施錠および解錠位置を、近傍から無接触で検知して施錠信号または解錠信号を出力するサムターン位置検知手段（光センサ）と、施錠状態にある錠が解錠され、サムターンがそのままの状態で所定時間保持された場合警報信号を発する解錠動作異常検知部と、解錠動作異常検知部の出力によって警報音を発する警報発生部とを有する。
【０００４】
【特許文献１】
特開２００２−１２１９４０。特許請求の範囲。
【０００５】
【発明が解決しようとする課題】
しかしながら、上記錠監視装置には次のような課題がある。
すなわち、正常な解錠か異常な解錠かを判別するために、解錠後、サムターンが所定時間（１〜３秒程度）そのままの状態で維持された場合に異常として判別し、警報音が発せられるようになっている。
したがって、新聞や牛乳を取り込むような短時間の解錠の際警報音が発せられないようにするためには、操作者は、一旦解錠操作をした後、直ちに施錠操作をしなければならず、わずらわしいという課題がある。また不正解錠者が解錠してドアを開けた後すぐにサムターンを回転した場合には異常として判断されないので、警報音が発せられることがなく、防犯の用を為さないという課題がある。
【０００６】
そこで本発明は上記課題を解決すべくなされたものであり、その目的とするところは、特別な操作が必要でなく、確実に異常な解錠を検知することのできる防犯システムを提供するにある。
【０００７】
【課題を解決するための手段】
上記課題を解決するため、本発明に係る防犯システムは、ドアの異常開閉を検知する防犯システムであって、錠前の開閉を検知する錠前検出手段と、屋内側に配置され、前記ドア近傍における人の有無を検出する人感センサと、ドア操作者を認定する認証手段と、前記錠前検出手段の検知信号、前記人感センサの検知信号、および前記認証手段からの信号が入力され、これら信号に基づき判別し、ドア内側に人がいない状態で前記錠前が解錠され、かつ前記認証手段による検知信号がない場合に異常であると判断する制御部とを具備することを特徴とする。
【０００８】
前記錠前検出手段は、錠前におけるサムターンの回動を検出するようにすることができる。
また、前記錠前検出手段は、屋内側のドア以外の部位に取り付けられ、前記サムターンの角度位置を検出するための投光素子および受光素子を有する光センサを含み、サムターンが施錠側に位置するとき前記光センサからの光の反射光を前記光センサに入光させ、サムターンが解錠側に位置するとき前記光センサからの光を反射せず、もしくは反射光を前記光センサに入光させないことを特徴とする。
また、前記認証手段を、ＲＦＩＤシステムで構成することができる。
また、前記人感センサを赤外線センサで構成することができる。
また、前記制御部が異常でない解錠状態であると判断した場合、解錠状態であることをドア操作者に知らせるようにすることができる。
【０００９】
【発明の実施の形態】
以下本発明の好適な実施の形態を添付図面に基づいて詳細に説明する。
図１、図２に概略を示す。
１０は回転式の玄関ドア、１１はドアノブ、１２はサムターン、１３は建物の駆体である。
サムターン１２は、鍵孔１６（図２、屋外側）とは反対側に位置して（屋内側に）錠前１５に連結して取り付けられている。鍵１７を鍵孔１６に差し込んで回転させることによって、施錠、解錠を切替えることができる。その際、サムターン１２も９０°回転される。
【００１０】
通常、サムターン１２が横向きになっているとき施錠状態にあり、縦向きになっているとき解錠状態にあるが、この反対の場合もある。
解錠し、ドアノブ１１を回転させることによってドア１０を開けることができる。
【００１１】
２０はＲＦＩＤ（Ｒａｄｉｏ  Ｆｒｅｑｕｅｎｃｙ  Ｉｄｅｎｔｉｆｉｃａｔｉｏｎ；非接触自動識別）アンテナであり、駆体１３側に、錠前１５と近接して配設されている。ＲＦＩＤアンテナ２０は、ＲＦＩＤリーダー（図示せず）に接続され、ＲＦＩＤリーダーは制御部（図示せず）に接続されている。
ＲＦＩＤリーダー、制御部は収納箱２１中に収納されている。収納箱２１は駆体１３側に取り付けられる。
【００１２】
ドア操作者が登録された人であるかどうかを識別するためのＩＣタグ（トランスポンダ）２２は図２に示されるように、鍵１７と一体に連結しておくと、鍵１７により解錠する際、タグ２２が必然的にＲＦＩＤアンテナ２０に接近し、ドア操作者の個人認証が可能となる。タグ２２のメモリにはドア操作者（通常は家人）のＩＤデータが書き込まれている。
ＲＦＩＤアンテナ２０、ＲＦＩＤリーダー、タグ２２、制御部等によりドア操作者の認証手段２３が構成される。
【００１３】
なお、認証手段２３は上記のＲＦＩＤシステムには限定されず、接触式のものであってもよいし、その他種々の認証手段を採用できる。
この認証手段２３により、ドア操作者が、その家の家人など、登録された人か否か判定される。
上記のＲＦＩＤシステムの場合には、検知信号があるか、および検知信号があった場合でもリーダーによって読み取られたデータが登録されたＩＤデータと一致するか一致しないかが判定される。
【００１４】
収納箱２１中には、制御部に接続され、警報音等を発する警報装置２４も内蔵されている。あるいは制御部により、監視カメラの作動、通信装置への接続、ネットワークへの接続など、各種セキュリティ装置（図示せず）を作動させてもよい。
２５は人感センサであり、図示の例では公知の反射式の赤外線センサによって構成されている。この人感センサ２５は収納箱２１に設置されていて、赤外線をドア１０近傍の屋内空間に放射していて、屋内側に人がいた場合の、人からの赤外光の反射光を検出し、制御部に入力する。なお、この人感センサ２５も赤外線センサには限られず、種々のセンサを採用できる。
【００１５】
２７はＡＣアダプタであり、収納箱２１中の各種機器に電源を供給する。
なお、収納箱２１中には、侵入者によりＡＣアダプタ２７が駆体１３側のコンセントから引き抜かれた場合にも、収納箱２１中の各種機器が作動するように、バックアップ用の電池あるいはコンデンサを配設しておくと好適である。
【００１６】
３０はサムターン検出用の光センサであり、サムターン１２に対応する駆体１３側の適所に配設されている。光センサ３０は投光素子、受光素子を備える。
この光センサ３０から、サムターン１２に向けて投光し、反射光の有無を検出してサムターン１２の向きを判定する。
サムターン１２には、図３に示すように、反射部材３１を着脱自在に装着すると好適である。
この反射部材３１は、サムターン１２を両側から挟み込むようにして反射部材３１をサムターン１２に取り付けるための二股状の挟持部３２と、挟持部３２の端部に挟持部３２と直交するように取り付けられた反射板３３からなる。反射板３３の反射面には、光の入射方向に反射光が反射（逆行）されるように公知のビーズスクリーン等の素材からなる層を形成しておくと好適である。これにより、光センサ３０の取り付け角度が多少ずれても、投光素子から入射されて反射板で反射された反射光が確実に受光素子で検出できる。
【００１７】
図４に示すように、サムターン１２は施錠時に横向き（ドア面に垂直、かつ水平方向を向く）になるものが多い。このサムターン１２に反射部材３１を取り付けると、反射板３３は縦向き（ドア面に垂直、かつ鉛直方向を向く）となり、サムターン１２の横方向となる駆体１３の部位に取り付けられた光センサ３０からの水平方向に発せられる光を反射し、反射光を光センサ３０にて受光可能となる。
この受光信号は前記制御部に入力され、制御部では施錠状態であると判定する。
【００１８】
一方、反射部材３１の挟持部３２には光センサ３０の投光素子からの光を反射し難い色に着色した部材とか、あるいは反射光が受光素子方向へは反射されない材料、もしくは反射光が受光素子方向へは反射されないように反射面の角度を設定したものを用いるようにする。
解錠され、サムターン１２が９０°回転すると挟持部３２の面が光センサ３０方向を向くが、反射光はほとんどない。これにより制御部では解錠状体であると判定する。
【００１９】
なお、サムターン１２には、施錠時に縦向き、解錠時に横向きとなるように設定されるものもあるが、この場合には、反射部材を使わず、サムターンの地金を反射材として使用することが可能である。
これにより、常に施錠時に反射部材３１からの反射光が受光素子で検知されることになる。つまり、反射光有りのときが施錠状態、反射光のない（受光されない）ときを解錠状態と判定されることになる。これにより、次のメリットがある。
すなわち、侵入者が駆体１３側のロック部をバール等で破壊して侵入する場合には、サムターン１２も回されず、錠前も施錠状態のままドア１０が開けられてしまう場合がある。このような状態でドア１０が開けられた場合にあっても、ドア１０が回転して開くことによって、サムターン１２が光センサ３０の投光素子からの光路から外れ、反射光が得られず、したがって、解錠状態と判定することができる。
【００２０】
光センサ３０、反射部材３１、制御部等で錠前検出手段３４を構成する。
本発明において、この錠前検出手段３４で、錠前の解錠状態を検知するとは、上記のように錠前がそのままの状態でドア１０が開けられてしまった状態を解錠状態と判定する場合を含む概念で用いている。
【００２１】
なお、錠前検出手段３４は上記構成に限定されるものではない。
図５は同様に光センサ３０を用いる場合の例であるが、ドア１０側に投光素子３０ａを、駆体１３側に受光素子３０ｂを配設して、サムターン１２の回転による投光素子３０ａからの光の遮断の有無を検出して、施錠、解錠状態を判定するようにしている。
また、図６は、サムターン１２にマグネット３５を取り付け、駆体１３側にリードスイッチ３６を取り付けて、サムターン１２の回転によって、マグネット３５がリードスイッチ３６に接離し、これによりリードスイッチ３６がオン、オフされることによって施錠、解錠状態を判定するようにしている。
【００２２】
前記のように、制御部には、錠前検出手段３４の検知信号、人感センサ２５の検知信号および認証手段２３による検知信号が入力される。
そして制御部では次の状態を異常と判定する。
すなわち、ドア内側に人がいない状態で錠前１５が解錠され、かつ認証手段２３による検知信号がない場合（本発明においては、検知信号がない場合とは、検知信号が入力されても登録されたＩＤデータと一致しない場合も含む）に不法侵入であると判断し、警報装置２４等を作動させるのである。
図７に示すように、ドア１０が施錠された状態で警戒モードとなり、異常な解錠を検知する。
【００２３】
ドア内側の人が解錠した場合は、認証手段２３が認証しない場合でも異常と判断しない。
これは、ＩＣタグを持たずにサムターン１２を回してドア１０を短時間開けるような場合（家人が新聞や牛乳を取り込む場合など）を異常としないためである。
この場合、短時間であっても解錠状態となるので、注意を促すために、ブザーをならす、ＬＦＤを点滅させる等の注意を発することが望ましい。
【００２４】
施錠後、人感センサ２５が家人を検知していない状態において解錠され、かつ認証手段２３により認証されていない場合は、制御部は直ちに警報装置２４を作動させる。
施錠状態で人感センサ２５が家人を検知していない状態で（すなわち外部から）解錠されても、認証手段２３により認証されている場合は、制御部は警報装置２４を作動させない。ただし、この場合も解錠状態に入るので、注意を促すべくブザーをならしたり、ＬＥＤを点滅させることが望ましい。
【００２５】
上記人感センサ２５は、赤外線センサの代わりに別途家人によって操作可能な屋内スイッチ（図示せず）としてもよい。家人が屋内にいるときにはオンにし、出かけるときにオフにすればよい。
あるいは人感スイッチ２５は必ずしも設けなくとも良い。この場合、例えばタグ２２を常時携行するなどすれば、家人が屋内側からサムターン１２を操作する場合に警報が作動するのを防止できる。
【００２６】
【発明の効果】
以上のように、本発明によれば、特別な操作が必要でなく、確実に異常解錠を検知することのできる防犯システムを提供できる。
【図面の簡単な説明】
【図１】防犯システム全体の概要を示す説明図である。
【図２】ＲＦＩＤシステムの概要を示す説明図である。
【図３】反射部材の説明図である。
【図４】施錠時、解錠時の反射部材の状態を示す説明図である。
【図５】錠前検出手段の他の実施例を示す説明図である。
【図６】錠前検出手段のさらに他の実施例を示す説明図である。
【図７】本実施形態における防犯システムの処理フローである。
【符号の説明】
１０  ドア
１１  ドアノブ
１２  サムターン
１３  駆体
１５  錠前
１６  鍵孔
１７  鍵
２０  ＲＦＩＤアンテナ
２１  収納箱
２２  ＩＣタグ
２３  認証手段
２４  警報装置
２５  人感センサ
２７  ＡＣアダプタ
３０  光センサ
３１  反射部材
３２  挟持部
３３  反射板
３４  錠前検出手段
３５  マグネット
３６  リードスイッチ
【図１】
2004234400.tif 000003
【図２】
2004234400.tif 000004
【図３】
2004234400.tif 000005
【図４】
2004234400.tif 000006
【図５】
2004234400.tif 000007
【図６】
2004234400.tif 000008
【図７】
2004234400.tif 000009